(57)【特許請求の範囲】
【請求項１】
カメラ機能あるいはビデオ機能をオンにして、端末のタッチスクリーン上にプレビューインターフェースを表示した後、前記プレビューインターフェース上でのユーザのタッチ操作を検出するステップと、
前記プレビューインターフェース上における指定領域でのユーザのタッチ操作が検出された後、前記指定領域の中心点を焦点としてフォーカスを行うとともに、所定割合に応じて前記指定領域の表示内容を拡大するステップとを含み、
プレビューインターフェース上における指定領域でのユーザのタッチ操作を検出することは、
タッチスクリーン上でのユーザの押圧操作及び押圧解除操作が検出された後、タッチスクリーン上での、前記押圧操作の座標と押圧解除操作の座標とを記録することと、
前記押圧操作の座標と押圧解除操作の座標とに基づいて、前記指定領域を特定することとを含み、
前記所定割合に応じて前記指定領域の表示内容を拡大した後、さらに、拡大された前記指定領域の表示内容を前記タッチスクリーン上に表示するステップを含み、
拡大された前記指定領域の表示内容を前記タッチスクリーン上に表示した後、さらに、
前記拡大された前記指定領域にタッチ操作があるか否かを検出するステップと、
前記拡大された前記指定領域にタッチ操作がある場合、前記タッチ操作の点に基づいて、前記点を中心にフォーカスを行うステップとを含むプレビューインターフェース選定領域拡大方法。
【請求項２】
拡大された前記指定領域の表示内容を前記タッチスクリーン上に表示した後、前記方法は、さらに、
前記拡大された前記指定領域の外にタッチ操作があるか否かを検出し、前記拡大された前記指定領域の外にタッチ操作がある場合、前記拡大された前記指定領域の表示内容をオフにして、前記タッチスクリーン上におけるプレビューインターフェースをオリジナルインターフェースへ復元するステップをさらに含む請求項１に記載のプレビューインターフェース選定領域拡大方法。
【請求項３】
前記拡大された前記指定領域にタッチ操作があるか否かを検出するステップは、
タッチスクリーン上でのユーザの押圧操作及び押圧解除操作が検出された後、タッチスクリーン上での、前記押圧操作の座標と押圧解除操作の座標とを記録することと、
前記押圧操作の座標が前記拡大された前記指定領域に位置する場合、タッチスクリーン上での、前記押圧操作の座標と押圧解除操作の座標とが同じであるか否かを判断することと、
タッチスクリーン上での前記押圧操作の座標と押圧解除操作の座標とが同じである場合、前記押圧操作の座標あるいは押圧解除操作の座標を記録し、前記点を特定することと、
タッチスクリーン上での前記押圧操作の座標と押圧解除操作の座標とが異なる場合、前記押圧操作及び押圧解除操作の手順における全ての座標を記録し、変位軌跡を特定することとを含む請求項１に記載のプレビューインターフェース選定領域拡大方法。
【請求項４】
端末のカメラ機能あるいはビデオ機能をオンにして、端末のタッチスクリーン上にプレビューインターフェースを表示した後、前記プレビューインターフェース上でのユーザのタッチ操作を検出するためのタッチ操作検出モジュールと、
前記プレビューインターフェース上における指定領域でのユーザのタッチ操作が前記タッチ操作検出モジュールによって検出された後、前記指定領域の中心点を焦点としてフォーカスを行うとともに、所定割合に応じて前記指定領域の表示内容を拡大するための拡大モジュールとを備え、
前記タッチ操作検出モジュールは、さらに、タッチスクリーン上でのユーザの押圧操作及び押圧解除操作を検出し、タッチスクリーン上での、前記押圧操作の座標と押圧解除操作の座標とを記録し、
前記押圧操作の座標と押圧解除操作の座標とに基づいて、前記指定領域を特定するための特定手段をさらに備え、
前記拡大モジュールで拡大された表示内容を前記タッチスクリーン上に表示するための表示モジュールをさらに備え、
前記拡大された前記指定領域にタッチ操作があるか否かを検出した後、タッチ操作の点に基づいて、前記点を中心にフォーカスを行うためのフォーカスモジュールをさらに備えるプレビューインターフェース選定領域拡大装置。
【請求項５】
前記拡大された前記指定領域の外にタッチ操作がある場合、前記拡大された前記指定領域の表示内容をオフにして、前記タッチスクリーン上におけるプレビューインターフェースをオリジナルインターフェースへ復元するためのオリジナルインターフェース復元モジュールをさらに備える請求項４に記載のプレビューインターフェース選定領域拡大装置。
【請求項６】
前記タッチ操作検出モジュールは、さらに、
前記拡大された前記指定領域にタッチ操作があるか否かを検出する場合に、タッチスクリーン上でのユーザの押圧操作及び押圧解除操作を検出すると、タッチスクリーン上での、前記押圧操作の座標と押圧解除操作の座標とを記録し、
前記押圧操作の座標が前記拡大された前記指定領域に位置する場合、タッチスクリーン上での、前記押圧操作の座標と押圧解除操作の座標とが同じであるか否かを判断し、
タッチスクリーン上での前記押圧操作の座標と押圧解除操作の座標とが同じである場合、前記押圧操作の座標あるいは押圧解除操作の座標を記録し、前記点を特定し、
タッチスクリーン上での前記押圧操作の座標と押圧解除操作の座標とが異なる場合、前記押圧操作及び押圧解除操作の手順における全ての座標を記録し、変位軌跡を特定する請求項４に記載のプレビューインターフェース選定領域拡大装置。
【発明の詳細な説明】
【技術分野】
【０００１】
本発明は、端末撮像分野に関し、具体的に、プレビューインターフェース選定領域拡大方法及び装置に関する。
【背景技術】
【０００２】
現在、携帯電話は、基本的にカメラ機能およびビデオ機能を有する。カメラ機能およびビデオ機能が人々によく利用される機能の１つであり、カメラやビデオ撮影を行う際、携帯電話のスクリーン上にプレビューインターフェースが現れる。現在利用されている携帯電話のメニューにプレビュー内容を拡大する機能がある。カメラのプレビューの際、当該拡大機能のボタンをドラッグしてプレビュー内容を拡大してもよい。また、プレビューインターフェースにおいて拡大表示用の矩形ボックスを選択する機能もある。しかし、これらの方式には、多少欠陥が存在する。例えば、機能キーがプレビュー内容をある程度遮って、プレビュー領域の中心のみで拡大できる。矩形領域を選択した後、その焦点も固定される。即ち、矩形領域の中心であり、変更不可能である。また、矩形領域を選択した後、その拡大する内容も固定され、変更不可能である。もし選択された位置が適切でなければ、領域を再度選択せざるを得ないため、操作が不便になる。
【発明の概要】
【発明が解決しようとする課題】
【０００３】
本発明は、これに鑑みてなされたものである。本発明の実施例は、単独の拡大ボタンを必要とせず、プレビューインターフェースがよりシンプルになるし、ユーザが対象に応じてフォーカス目標を設定できるようにフォーカス機能を追加するし、ユーザが拡大すべき内容をプレビューインターフェース上で便利で正確に選択できるように選定領域を移動させる機能を追加するプレビューインターフェース選定領域拡大方法及び装置を提供することを目的とする。その具体的な技術案は、次のようになる。
【課題を解決するための手段】
【０００４】
本発明の実施例は、プレビューインターフェース選定領域拡大方法を開示する。当該方法は、カメラ機能及び／又はビデオ機能を有するタッチスクリーン端末に適用され、カメラ機能あるいはビデオ機能をオンにして、端末のタッチスクリーン上にプレビューインターフェースを表示した後、前記プレビューインターフェース上でのユーザのタッチ操作を検出するステップと、前記プレビューインターフェース上における指定領域でのユーザのタッチ操作が検出された後、所定割合に応じて前記指定領域の表示内容を拡大するステップとを含む。
【０００５】
好ましくは、プレビューインターフェース上における指定領域でのユーザのタッチ操作を検出することは、タッチスクリーン上でのユーザの押圧操作及び押圧解除操作が検出された後、タッチスクリーン上での、前記押圧操作の座標と押圧解除操作の座標とを記録することと、前記押圧操作の座標と押圧解除操作の座標とに基づいて、前記指定領域を特定することとを含む。
【０００６】
好ましくは、前記所定割合に応じて前記指定領域の表示内容を拡大した後、前記方法は、さらに、拡大された前記指定領域の表示内容を前記タッチスクリーン上に表示するステップを含む。
【０００７】
好ましくは、拡大された前記指定領域の表示内容を前記タッチスクリーン上に表示した後、前記方法は、さらに、前記拡大された前記指定領域にタッチ操作があるか否かを検出するステップと、前記拡大された前記指定領域にタッチ操作がある場合、前記タッチ操作の変位軌跡に従って、前記拡大された前記指定領域を移動させ、あるいは、前記タッチ操作の点に基づいて、前記点を中心にフォーカスを行うステップとを含む。
【０００８】
好ましくは、拡大された前記指定領域の表示内容を前記タッチスクリーン上に表示した後、前記方法は、さらに、前記拡大された前記指定領域の外にタッチ操作があるか否かを検出し、前記拡大された前記指定領域の外にタッチ操作がある場合、前記拡大された前記指定領域の表示内容をオフにして、前記タッチスクリーン上におけるプレビューインターフェースをオリジナルインターフェースへ復元するステップをさらに含む。
【０００９】
好ましくは、前記拡大された前記指定領域にタッチ操作があるか否かを検出するステップは、タッチスクリーン上でのユーザの押圧操作及び押圧解除操作が検出された後、タッチスクリーン上での、前記押圧操作の座標と押圧解除操作の座標とを記録することと、前記押圧操作の座標が前記拡大された前記指定領域に位置する場合、タッチスクリーン上での、前記押圧操作の座標と押圧解除操作の座標とが同じであるか否かを判断することと、タッチスクリーン上での前記押圧操作の座標と押圧解除操作の座標とが同じである場合、前記押圧操作の座標あるいは押圧解除操作の座標を記録し、前記点を特定することと、タッチスクリーン上での前記押圧操作の座標と押圧解除操作の座標とが異なる場合、前記押圧操作及び押圧解除操作の手順における全ての座標を記録し、前記変位軌跡を特定することとを含む。
【００１０】
本発明の実施例は、さらに、プレビューインターフェース選定領域拡大装置を開示する。当該装置は、端末のカメラ機能あるいはビデオ機能をオンにして、端末のタッチスクリーン上にプレビューインターフェースを表示した後、前記プレビューインターフェース上でのユーザのタッチ操作を検出するためのタッチ操作検出モジュールと、前記プレビューインターフェース上における指定領域でのユーザのタッチ操作が前記タッチ操作検出モジュールによって検出された後、所定割合に応じて前記指定領域の表示内容を拡大するための拡大モジュールとを備える。
【００１１】
好ましくは、前記タッチ操作検出モジュールは、さらに、タッチスクリーン上でのユーザの押圧操作及び押圧解除操作を検出し、タッチスクリーン上での、前記押圧操作の座標と押圧解除操作の座標とを記録し、前記装置は、前記押圧操作の座標と押圧解除操作の座標とに基づいて、前記指定領域を特定するための特定手段をさらに備える。
【００１２】
好ましくは、前記装置は、前記拡大モジュールで拡大された表示内容を前記タッチスクリーン上に表示するための表示モジュールをさらに備える。
【００１３】
好ましくは、前記装置は、前記拡大された前記指定領域にタッチ操作があるか否かの検出時、前記拡大された前記指定領域にスライドタッチ操作があると検出された場合、前記タッチ操作の変位軌跡にしたがって、前記拡大された前記指定領域を移動させるための移動モジュールをさらに備え、または、前記拡大された前記指定領域にタッチ操作があるか否かを検出した後、タッチ操作の点に基づいて、前記点を中心にフォーカスを行うためのフォーカスモジュールをさらに備える。
【００１４】
好ましくは、前記装置は、前記拡大された前記指定領域の外にタッチ操作がある場合、前記拡大された前記指定領域の表示内容をオフにして、前記タッチスクリーン上におけるプレビューインターフェースをオリジナルインターフェースへ復元するためのオリジナルインターフェース復元モジュールをさらに備える。
【００１５】
好ましくは、前記タッチ操作検出モジュールは、さらに、前記拡大された前記指定領域にタッチ操作があるか否かを検出する場合に、タッチスクリーン上でのユーザの押圧操作及び押圧解除操作を検出すると、タッチスクリーン上での、前記押圧操作の座標と押圧解除操作の座標とを記録し、前記押圧操作の座標が前記拡大された前記指定領域に位置する場合、タッチスクリーン上での、前記押圧操作の座標と押圧解除操作の座標とが同じであるか否かを判断し、タッチスクリーン上での前記押圧操作の座標と押圧解除操作の座標とが同じである場合、前記押圧操作の座標あるいは押圧解除操作の座標を記録し、前記点を特定し、タッチスクリーン上での前記押圧操作の座標と押圧解除操作の座標とが異なる場合、前記押圧操作及び押圧解除操作の手順における全ての座標を記録し、前記変位軌跡を特定する。
【００１６】
前記タッチ操作検出モジュール、前記拡大モジュール、前記特定手段、前記表示モジュール、前記移動モジュール、前記フォーカスモジュール、前記オリジナルインターフェース復元モジュールが処理を実行するとき、中央処理装置（ＣＰＵ、Ｃｅｎｔｒａｌ Ｐｒｏｃｅｓｓｉｎｇ Ｕｎｉｔ）、デジタル信号プロセッサ（ＤＳＰ、Ｄｉｇｉｔａｌ Ｓｉｎｇｎａｌ Ｐｒｏｃｅｓｓｏｒ）またはフィールド プログラマブル ゲート アレイ（ＦＰＧＡ、Ｆｉｅｌｄ−Ｐｒｏｇｒａｍｍａｂｌｅ Ｇａｔｅ Ａｒｒａｙ）によって実現されてもよい。
【発明の効果】
【００１７】
本発明は、下記の格別な効果を有する。本発明では、タッチスクリーン上でのユーザの指定領域を拡大でき、単独の拡大アイコンを必要としない。拡大後、ユーザは、直接クリックタッチにより指定領域内の物体に対してオートフォーカスを行うことができ、フォーカスのために体を動かす必要がなく、ユーザ体験が向上する。そして、直接指定領域を調整でき、適切な拡大領域を選択できなかったため領域を何回も選定することはなく、ユーザの操作が便利になる。
【図面の簡単な説明】
【００１８】
【図１】本発明の実施例一による選定領域拡大方法のフローチャートである。
【図２】本発明の実施例二による選定領域拡大方法のフローチャートである。
【図３】本発明の実施例三による拡大された選定領域の移動やフォーカスの方法のフローチャートである。
【図４】本発明の実施例四による選定領域拡大装置のブロック図である。
【図５】本発明の実施例五による選定領域拡大装置のブロック図である。
【図６】本発明の実施例一によるオリジナルプレビューインターフェースの模式図である。
【図７】本発明の実施例一による図６のプレビューインターフェース上において領域を指定する模式図である。
【図８】本発明の実施例一による図７の指定領域の表示内容を拡大表示する模式図である。
【図９】本発明の実施例三による図８の指定領域の表示内容を移動させる過程の模式図である。
【図１０】本発明の実施例三による図８の指定領域の表示内容を移動させた後、内容を調整して表示する模式図である。
【発明を実施するための形態】
【００１９】
本発明の目的、技術案及びメリットをより明確化させるように、以下で図面に合わせて本発明の実施例を詳細に説明する。説明すべきことは、衝突しない限り、本発明の実施例および実施例における特徴を任意に組み合わせてもよい。
【００２０】
方法実施例
実施例一
本発明のある実施例では、プレビューインターフェース選定領域拡大方法を開示する。図１に示すように、当該方法は、以下のステップを含む。
【００２１】
ステップＳ０１では、端末のカメラ機能あるいはビデオ機能をオンにして、タッチスクリーン上にプレビューインターフェースを表示した後、プレビューインターフェース上でのユーザのタッチ操作を検出する。
【００２２】
具体的に操作する際、まず、端末のカメラ機能またはビデオ機能をオンにする。起動後、端末のタッチスクリーン上にプレビューインターフェースが表示され、ユーザは、タッチスクリーン上において領域を選定する操作を行ってもよい。本実施例は、プレビューインターフェース選定領域拡大方法を開示する。即ち、タッチスクリーン上でのユーザの押圧操作及び押圧解除操作を検出し、タッチスクリーン上での押圧操作の座標及び押圧解除操作の座標を記録し、タッチスクリーンの左上角を座標原点とする。タッチスクリーン上での前記押圧操作の座標と押圧解除操作の座標とが異なる場合、この２つの点の座標を連結して対角線を成し、矩形領域を形成する。当該矩形領域の長さが│Ｘ１−Ｘ０│であり、幅が│Ｙ１−Ｙ０│である。ただし、（Ｘ１、Ｙ１）が押圧解除操作の座標であり、（Ｘ０、Ｙ０）が押圧操作の座標（以下のあらゆる実施例における座標原点がいずれもスクリーンの左上角）である。
【００２３】
また、タッチスクリーン上での前記押圧操作の座標と押圧解除操作の座標とが異なる場合、押圧操作の座標を円心とし、この２つの点の座標を連結して半径とし、円形領域を形成する。
【００２４】
当該円形の半径がｒであり、式（１）のように示される。
【００２５】
【数１】
0006302061.tif 000002
ただし、（Ｘ２、Ｙ２）が押圧操作の座標であり、（Ｘ３、Ｙ３）が押圧解除操作の座標である。
【００２６】
ユーザが領域を指定する必要がある場合、タッチスクリーン上において線を引く操作をすればよい。１つの矩形あるいは１つの円形の領域を形成して、操作が便利になる。このように描かれた図形は、矩形及び円形のみに限定されず、他の形状を形成してもよい。同様に、線を引く操作以外の操作で指定領域を特定してもよい。
【００２７】
ステップＳ０２では、プレビューインターフェース上における指定領域でのユーザのタッチ操作が検出された後、所定割合で指定領域の表示内容を拡大する。
【００２８】
ユーザによって設定オプションで設定された係数、あるいは出荷時にプリセットされた係数、例えば、２倍あるいは４倍に応じて、特定された指定領域の内容を拡大する。指定された領域が矩形であれば、矩形の中心点を焦点とする。例えば、Ｓ０１での矩形領域中心の横座標を（Ｘ１−Ｘ０）／２とし、縦座標を（Ｙ１−Ｙ０）／２として、フォーカスを行う。指定された領域が円形であれば、円形の円心を焦点とする。例えば、Ｓ０１での円心の座標を（Ｘ１、Ｙ１）としてフォーカスを行う。
【００２９】
ステップＳ０３では、拡大された表示内容をタッチスクリーンのプレビューインターフェース上に表示する。
【００３０】
拡大してフォーカスされた指定領域の内容をプレビューインターフェースの最上位層に表示する。指定領域がプレビューインターフェースの最上位層に拡大表示された後、ユーザがプレビューのオリジナルインターフェースへ復元しようとするとき、拡大表示された指定領域外の領域にタッチすればよい。即ち、端末は、タッチスクリーン上でのユーザの再度の押圧操作及び押圧解除操作を検出した後、押圧解除操作及び押圧操作の座標が拡大表示された指定領域の外に位置するか否かを判断し、そうであれば、タッチスクリーン上のプレビューインターフェースをオリジナルインターフェースへ復元する。当然、オリジナルインターフェースの復元をトリガする他の方法を設定してもよい。
【００３１】
以下に、図６、図７及び図８を例にして説明する。図６は、オリジナルプレビューインターフェースを示し、インターフェース上にＡ及びＢがある。その際、ユーザがスクリーンの左上角のＡを拡大しようとするとき、Ａが所在する領域を指定すればよい。図７に示すように、ユーザのプリーセットまたは出荷設定に応じて、拡大係数を２とすれば、Ａが所在する領域の表示内容を２倍拡大し、図８は、Ａが所在する領域の内容を拡大して表示する模式図である。
【００３２】
実施例二
本実施例は、プレビューインターフェース選定領域拡大方法を開示する。図２に示すように、当該方法は、以下のステップを含む。
【００３３】
ステップＳ１１では、端末のカメラ機能あるいはビデオ機能をオンにして、タッチスクリーン上にプレビューインターフェースを表示した後、プレビューインターフェース上でのユーザのタッチ操作を検出する。
【００３４】
ステップＳ１２では、プレビューインターフェース上における指定領域でのユーザのタッチ操作が検出された後、所定割合に応じて指定領域の表示内容を拡大して記憶する。
【００３５】
本実施例と実施例一との主な区別は、本実施例において、指定領域の内容を拡大した後、直接イメージングして記憶することにある。即ち、ユーザによって指定された領域を拡大し写真取りしてから、プレビューインターフェースに戻って、他の操作があるまで待機する。
【００３６】
実施例三
本実施例は、プレビューインターフェース選定領域拡大方法を開示する。当該方法は、上記実施例一の元で実施され、実施例一の拡大後の領域に対して移動やフォーカス等の機能を施し、図３に示すように、下記のステップを含む。
【００３７】
Ｓ１０１では、前記拡大された前記指定領域にタッチ操作があるか否かを検出する。
拡大された領域でのユーザの操作は、好ましくは、タッチスクリーン上でのユーザの押圧操作及び押圧解除操作が検出された後、タッチスクリーン上での、前記押圧操作の座標と押圧解除操作の座標とを記録し、押圧操作の座標が最上位層に表示された拡大後の指定領域内に位置するか否かを判断し、そうであれば、前記拡大された前記指定領域にユーザのタッチ操作があると特定する。
【００３８】
Ｓ１０２では、前記拡大された前記指定領域にタッチ操作があると検出された後、前記タッチ操作の変位軌跡に従って、前記拡大された前記指定領域を移動させ、あるいはタッチ操作の点に基づいて、前記点を中心にフォーカスを行う。
【００３９】
実際の操作時、前記拡大された前記指定領域にユーザのタッチ操作がある場合、タッチスクリーン上での前記押圧操作の座標と押圧解除操作の座標とが同じであるか否かをさらに判断し、そうであれば、今回のタッチ操作をシングルクリック操作として特定し、そのシングルクリック点の座標を中心にフォーカスを行う。そうでなければ、今回のタッチ操作をスライド操作として特定し、前記押圧操作及び押圧解除操作の手順におけるあらゆる座標を記録し、スライド操作の変位軌跡を特定し、図９に示すように、その変位軌跡にて拡大後の指定領域を移動させる。例えば、タッチスクリーン上でのユーザの押圧操作及び押圧解除操作を検出し、押圧操作座標（Ｘ４、Ｙ４）及び押圧解除操作座標（Ｘ５、Ｙ５）を記録し、Ｘ４がＸ５に等しく、且つＹ４がＹ５に等しいか否かを先に判断し、そうであれば、（Ｘ４、Ｙ４）または（Ｘ５、Ｙ５）を焦点としてフォーカスを行う。そうでなければ、（Ｘ４、Ｙ４）から(Ｘ５、Ｙ５)へ移動する過程におけるすべての座標を記録して移動軌跡を形成する。前記指定領域は、それとともに同期移動する。例えば、Ｓ０１では、指定領域が矩形である場合、押圧操作の座標が（Ｘ０,Ｙ０）であり、移動軌跡に対して、押圧操作の座標（Ｘ０、Ｙ０）が[Ｘ０+(Ｘ５-Ｘ４)、Ｙ０+(Ｙ５-Ｙ４)]に移動する。同様に、押圧解除操作の座標（Ｘ１、Ｙ１）が[Ｘ１+(Ｘ５-Ｘ４)、Ｙ１+(Ｙ５-Ｙ４)]に移動し、図１０に示すように、その２つの座標点に囲まれた矩形領域を指定領域として拡大表示する。
【００４０】
装置実施例
実施例四
本実施例は、プレビューインターフェース選定領域拡大装置を開示する。図４に示すように、当該装置は、前記端末のカメラ機能あるいはビデオ機能をオンにして、タッチスクリーン上にプレビューインターフェースを表示した後、前記プレビューインターフェース上でのユーザのタッチ操作を検出するためのタッチ操作検出モジュールと、前記プレビューインターフェース上における指定領域でのユーザのタッチ操作が前記タッチ操作検出モジュールによって検出された後、所定割合に応じて前記指定領域の表示内容を拡大するための拡大モジュールと、前記拡大モジュールで拡大された表示内容を前記タッチスクリーン上に表示するための表示モジュールとを備える。
【００４１】
当該装置のオリジナルインターフェース復元モジュールは、前記拡大された前記指定領域の外にタッチ操作がある場合、前記拡大された前記指定領域の表示内容をオフにして、前記タッチスクリーン上におけるプレビューインターフェースをオリジナルインターフェースへ復元する。
【００４２】
本発明の実施例一の好適な実施形態において、前記タッチ操作検出モジュールは、さらに、タッチスクリーン上でのユーザの押圧操作及び押圧解除操作を検出し、タッチスクリーン上での、前記押圧操作の座標と押圧解除操作の座標とを記録し、対応的に、前記装置は、さらに、前記押圧操作の座標と押圧解除操作の座標とに基づいて、前記指定領域を特定するための特定手段を備える。
【００４３】
実施例五
本実施例は、プレビューインターフェース選定領域拡大装置を開示する。図５に示すように、当該装置は、前記端末のカメラ機能あるいはビデオ機能をオンにして、タッチスクリーン上にプレビューインターフェースを表示した後、前記プレビューインターフェース上でのユーザのタッチ操作を検出するためのタッチ操作検出モジュールと、前記プレビューインターフェース上における指定領域でのユーザのタッチ操作が前記タッチ操作検出モジュールによって検出された後、所定割合に応じて前記指定領域の表示内容を拡大するための拡大モジュールと、前記拡大モジュールで拡大された表示内容を前記タッチスクリーン上に表示するための表示モジュールとを備える。
【００４４】
当該装置は、さらに、前記拡大された前記指定領域にタッチ操作があるか否かの検出時、前記拡大された前記指定領域にスライドタッチ操作があると検出された場合、前記タッチ操作の変位軌跡に従って、前記拡大された前記指定領域を移動させるための移動モジュールを備え、または、前記拡大された前記指定領域にタッチ操作があると検出された後、タッチ操作の点に基づいて、前記点を中心にフォーカスを行うためのフォーカスモジュールを備える。
【００４５】
当該装置のオリジナルインターフェース復元モジュールは、前記拡大された前記指定領域の外にタッチ操作がある場合、前記拡大された前記指定領域の表示内容をオフにして、前記タッチスクリーン上のプレビューインターフェースをオリジナルインターフェースへ復元する。
【００４６】
拡大された領域でのユーザの操作は、好ましくは、タッチスクリーン上でのユーザの押圧操作及び押圧解除操作が検出された後、タッチスクリーン上での前記押圧操作の座標及び押圧解除操作の座標を記録し、押圧操作の座標が、最上位層に表示された拡大後の指定領域内に位置するか否かを判断し、そうであれば、前記拡大後の前記指定領域にユーザのタッチ操作があると特定することである。
【００４７】
拡大された領域でのユーザのシングルクリック操作は、好ましくは、前記拡大された前記指定領域にユーザのタッチ操作がある場合、タッチスクリーン上での前記押圧操作の座標と押圧解除操作の座標とが同じであるか否かをさらに判断し、そうであれば、今回のタッチ操作をシングルクリック操作として特定することである。
【００４８】
本発明の実施例一の好適な実施形態において、前記タッチ操作検出モジュールは、さらに、前記拡大された前記指定領域にタッチ操作があるか否かを検出する場合に、タッチスクリーン上でのユーザの押圧操作及び押圧解除操作を検出すると、タッチスクリーン上での、前記押圧操作の座標と押圧解除操作の座標とを記録し、前記押圧操作の座標が前記拡大された前記指定領域に位置する場合、タッチスクリーン上での、前記押圧操作の座標と押圧解除操作の座標とが同じであるか否かを判断し、タッチスクリーン上での前記押圧操作の座標と押圧解除操作の座標とが同じである場合、前記押圧操作の座標あるいは押圧解除操作の座標を記録し、前記点を特定し、タッチスクリーン上での前記押圧操作の座標と押圧解除操作の座標とが異なる場合、前記押圧操作及び押圧解除操作の手順における全ての座標を記録し、前記変位軌跡を特定する。
【００４９】
上述したのは、単に本発明の好適な実施例に過ぎず、本発明の保護範囲を限定するためのものではない。
【産業上の利用可能性】
【００５０】
本発明の実施例では、タッチスクリーン上でのユーザの指定領域を拡大でき、単独の拡大アイコンを必要としない。拡大後、ユーザは、直接クリックタッチにより指定領域内の物体に対してオートフォーカスを行うことができ、フォーカスのために体を動かす必要がなく、ユーザ体験が向上する。そして、直接指定領域を調整でき、適切な拡大領域を選択できなかったため領域を何回も選定することはなく、ユーザの操作が便利になる。
【図１】
0006302061.tif 000003
【図２】
0006302061.tif 000004
【図３】
0006302061.tif 000005
【図４】
0006302061.tif 000006
【図５】
0006302061.tif 000007
【図６】
0006302061.tif 000008
【図７】
0006302061.tif 000009
【図８】
0006302061.tif 000010
【図９】
0006302061.tif 000011
【図１０】
0006302061.tif 000012